【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の変動表示を行なって表示結果を導出表示する変動表示部を備え、前記変動表示部で前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる有利な特別遊技状態に制御される遊技機であって、
遊技の進行を制御する遊技制御手段と、
前記遊技機に設けられ、遊技に伴なって音を出力する音出力手段、または前記遊技機に設けられ、遊技に伴なって光を発する発光手段の少なくとも一方を、制御する第１演出制御手段と、
前記変動表示部の表示制御を行なう第２演出制御手段とを備え、
前記遊技制御手段は、
前記識別情報の変動表示の表示結果を前記特定表示結果とするか否か、および、前記特別遊技状態に制御するか否かを決定する事前決定手段と、
前記事前決定手段によって表示結果を前記特定表示結果とする旨の決定がされたとき、前記特別表示結果以外の特定表示結果を仮停止させた後、前記特別表示結果および前記特別表示結果以外の特定表示結果のうちからいずれかの種類の特定表示結果を導出表示させる第１演出表示を実行するか否かを決定する第１演出表示実行決定手段と、
前記事前決定手段によって表示結果を前記特定表示結果とする旨の決定がされたとき、前記特定遊技状態が開始された後に、前記特別遊技状態に制御されるか否かを示す第２演出表示を実行するか否かを決定する第２演出表示実行決定手段と、
前記識別情報の変動表示を開始するときに、前記事前決定手段による決定結果に基づいた演出を実行するために用いる演出制御コマンドを前記第１演出制御手段に送信する演出制御コマンド送信手段と、
前記識別情報の変動表示を開始するときに、前記事前決定手段による決定結果を特定するために用いる結果コマンドを前記第１演出制御手段に送信する結果コマンド送信手段と、
前記特定遊技状態を開始した後の所定の演出切替タイミングに、前記特定遊技状態が開始されてから実行される演出から他の種類の演出への切替えを示す切替コマンドを前記第１演出制御手段に送信する切替コマンド送信手段とを含み、
前記演出制御コマンド送信手段によって送信される前記演出制御コマンド、または前記結果コマンド送信手段によって送信される前記結果コマンドの少なくとも一方のコマンドは、当該コマンドに基づいて前記第１演出表示実行決定手段による決定結果および前記第２演出表示実行決定手段による決定結果が特定可能となるように構成されたマルチコマンドであり、
前記第１演出制御手段は、
前記マルチコマンドに基づいて、前記第１演出表示の実行が示されたか否かを判定する第１演出表示実行判定手段と、
前記第１演出表示実行判定手段によって前記第１演出表示の実行が示された旨の判定がされたことを条件として、前記第１演出表示の演出態様を決定する第１演出表示態様決定手段と、
前記マルチコマンドに基づいて、前記第２演出表示の実行が示されたか否かを判定する第２演出表示実行判定手段と、
前記第２演出表示実行判定手段によって前記第２演出表示の実行が示された旨の判定がされたことを条件として、前記第２演出表示の演出態様を決定する第２演出表示態様決定手段と、
前記結果コマンド送信手段によって送信された結果コマンドに基づいて特定される前記事前決定手段の決定結果と、前記第２演出表示実行判定手段の判定結果とに基づいて、変動表示の表示結果を決定する表示結果決定手段と、
前記演出制御コマンド送信手段によって送信された演出制御コマンドに応じて識別情報の変動表示を開始させた後、当該変動表示ごとに設定される変動表示時間が経過したときに、変動表示の表示結果を導出表示させる変動パターンを特定する変動パターン特定手段と、
前記切替コマンド送信手段によって送信された切替コマンドに応じて、演出を他の種類の演出に切替えるタイミングを特定する切替タイミング特定手段と、
前記第１演出表示態様決定手段により決定された前記第１演出表示の演出態様と、前記第２演出表示態様決定手段により決定された前記第２演出表示の演出態様と、前記表示結果決定手段により決定された変動表示の表示結果と、前記変動パターン特定手段により特定された変動パターンと、前記切替タイミング特定手段により特定されたタイミングとを、前記第２演出制御手段において特定可能にするための情報を送信する情報送信手段と、を含み、
前記第２演出制御手段は、
前記情報送信手段により送信された情報に基づき、前記第１演出表示態様決定手段により決定された演出態様で前記第１演出表示を実行する第１演出表示実行制御手段と、
前記情報送信手段により送信された情報に基づき、前記切替タイミング特定手段により特定されたタイミングであるときに、前記第２演出表示態様決定手段により決定された演出態様で前記第２演出表示を実行する第２演出表示実行制御手段と、
前記情報送信手段により送信された情報に基づき、前記変動パターン特定手段により特定された変動パターンに応じて識別情報の変動表示を開始させた後、前記表示結果決定手段により決定された変動表示の表示結果を導出表示させる変動表示制御手段と、を含み、
前記表示結果決定手段は、前記第１演出表示実行判定手段によって前記第１演出表示の実行が示された旨の判定がされ、かつ、前記第２演出表示実行判定手段によって前記第２演出表示の実行が示された旨の判定がされたときに、前記結果コマンドが前記特別遊技状態に制御される旨を示しているときには、前記特別表示結果以外の特定表示結果のうちからいずれかの種類の特定表示結果を前記第１演出表示で導出表示される表示結果として決定するとともに、前記第２演出表示で前記特別遊技状態に制御される旨を表示させることを決定することを特徴とする、遊技機。
【請求項２】
各々が識別可能な複数種類の識別情報の変動表示を行なって表示結果を導出表示する変動表示部を備え、前記変動表示部で前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる有利な特別遊技状態に制御される遊技機であって、
遊技の進行を制御する遊技制御手段と、
前記遊技機に設けられ、遊技に伴なって音を出力する音出力手段、または前記遊技機に設けられ、遊技に伴なって光を発する発光手段の少なくとも一方を、制御する第１演出制御手段と、
前記変動表示部の表示制御を行なう第２演出制御手段とを備え、
前記遊技制御手段は、
前記識別情報の変動表示の表示結果を前記特定表示結果とするか否か、および、前記特別遊技状態に制御するか否かを決定する事前決定手段と、
前記事前決定手段によって表示結果を前記特定表示結果とする旨の決定がされたとき、前記特別表示結果以外の特定表示結果を仮停止させた後、前記特別表示結果および前記特別表示結果以外の特定表示結果のうちからいずれかの種類の特定表示結果を導出表示させる第１演出表示を実行するか否かを決定する第１演出表示実行決定手段と、
前記事前決定手段によって表示結果を前記特定表示結果とする旨の決定がされたとき、前記特定遊技状態が開始された後に、前記特別遊技状態に制御されるか否かを示す第２演出表示を実行するか否かを決定する第２演出表示実行決定手段と、
前記識別情報の変動表示を開始するときに、前記事前決定手段による決定結果に基づいた演出を実行するために用いる演出制御コマンドを前記第１演出制御手段に送信する演出制御コマンド送信手段と、
前記識別情報の変動表示を開始するときに、前記事前決定手段による決定結果を特定するために用いる結果コマンドを前記第１演出制御手段に送信する結果コマンド送信手段と、
前記特定遊技状態を開始した後の所定の演出切替タイミングに、前記特定遊技状態が開始されてから実行される演出から他の種類の演出への切替えを示す切替コマンドを前記第１演出制御手段に送信する切替コマンド送信手段とを含み、
前記演出制御コマンド送信手段によって送信される前記演出制御コマンド、または前記結果コマンド送信手段によって送信される前記結果コマンドの少なくとも一方のコマンドは、当該コマンドに基づいて前記第１演出表示実行決定手段による決定結果および前記第２演出表示実行決定手段による決定結果が特定可能となるように構成された第１マルチコマンドであり、
前記第１演出制御手段は、
前記第１マルチコマンドに基づいて、前記第１演出表示の実行が示されたか否かを判定する第１演出表示実行判定手段と、
前記第１演出表示実行判定手段によって前記第１演出表示の実行が示された旨の判定がされたことを条件として、前記第１演出表示の演出態様を決定する第１演出表示態様決定手段と、
前記第１マルチコマンドに基づいて、前記第２演出表示の実行が示されたか否かを判定する第２演出表示実行判定手段と、
前記第２演出表示実行判定手段によって前記第２演出表示の実行が示された旨の判定がされたことを条件として、前記第２演出表示の演出態様を決定する第２演出表示態様決定手段と、
前記表示結果決定手段は、前記第１演出表示実行判定手段によって前記第１演出表示の実行が示された旨の判定がされ、かつ、前記第２演出表示実行判定手段によって前記第２演出表示の実行が示された旨の判定がされたときに、前記結果コマンドが前記特別遊技状態に制御される旨を示しているときには、前記特別表示結果以外の特定表示結果のうちからいずれかの種類の特定表示結果を前記第１演出表示で導出表示される表示結果として決定するとともに、前記第２演出表示で前記特別遊技状態に制御される旨を表示させることを決定する第２演出表示実行時表示結果決定手段と、
前記結果コマンド送信手段によって送信された結果コマンド、および前記第２演出表示実行時表示結果決定手段によって決定された表示結果を特定する表示結果コマンドを前記第２演出制御手段に送信する表示結果コマンド送信手段と、
前記演出制御コマンド送信手段によって送信された演出制御コマンドを特定する変動演出制御コマンドを前記第２演出制御手段に送信する変動演出制御コマンド送信手段と、
前記切替コマンド送信手段によって送信された切替コマンドを特定する演出表示切替コマンドを送信する演出表示切替コマンド送信手段とを含み、
前記表示結果コマンド送信手段によって送信される前記表示結果コマンド、または前記変動演出制御コマンド送信手段によって送信される前記変動演出制御コマンドの少なくとも一方のコマンドは、当該コマンドに基づいて前記第１演出表示態様決定手段により決定された前記第１演出表示の演出態様および前記第２演出表示態様決定手段により決定された前記第２演出表示の演出態様が特定可能となるように構成された第２マルチコマンドであり、
前記第２演出制御手段は、
前記第２マルチコマンドに基づいて、前記第１演出表示態様決定手段により決定された演出態様で前記第１演出表示を実行する第１演出表示実行制御手段と、
前記第２マルチコマンドに基づいて、前記演出表示切替コマンド送信手段からの前記演出表示切替コマンドを受信したときに、前記第２演出表示態様決定手段により決定された演出態様で前記第２演出表示を実行する第２演出表示実行制御手段と、
前記変動演出制御コマンド送信手段により送信された変動演出制御コマンドに基づいて、前記演出制御コマンド送信手段によって送信された演出制御コマンドに応じて識別情報の変動表示を開始させた後、前記表示結果コマンド送信手段によって送信される前記表示結果コマンドに応じた変動表示の表示結果を導出表示させる変動表示制御手段と、を含むことを特徴とする、遊技機。
【請求項３】
前記結果コマンド送信手段によって送信される前記結果コマンドは、前記第１演出表示実行決定手段による決定結果をさらに特定するマルチコマンドであり、
前記第１演出制御手段は、
前記演出制御コマンド送信手段から送信された前記演出制御コマンドにより前記変動表示の変動パターンを特定し、該変動パターンの変動表示時間を設定する変動表示時間設定手段を含み、
前記変動表示時間設定手段は、
前記演出制御コマンド送信手段から送信された演出制御コマンドが同一の変動パターンを特定する演出制御コマンドであっても、前記結果コマンド送信手段から送信された結果コマンドが前記第１演出表示を実行する旨の決定結果を特定する結果コマンドであるか否かに応じて、異なる変動表示時間を設定する特定表示時変動表示時間設定手段を含むことを特徴とする、請求項１または請求項２に記載の遊技機。
【請求項４】
前記切替コマンド送信手段は、前記特定遊技状態を終了するときを前記所定の演出切替タイミングとして、前記切替コマンドを送信することを特徴とする、請求項１〜請求項３のいずれかに記載の遊技機。
【請求項５】
前記第１演出制御手段は、
前記第２演出表示実行判定手段によって前記第２演出表示の実行が示された旨の判定がされていないときであって、前記切替コマンド送信手段によって送信された前記切替コマンドを受信したときに、演出を前記特定遊技状態が終了したことを報知する特定遊技状態終了演出に切替えて、当該特定遊技状態終了演出を実行させる特定遊技状態終了演出実行制御手段をさらに含み、
前記第２演出表示実行制御手段による前記第２演出表示の実行時間は、前記特定遊技状態終了演出実行制御手段による前記特定遊技状態終了演出の実行時間よりも長くなるように設定されていることを特徴とする、請求項４に記載の遊技機。
【請求項６】
前記第１演出表示態様決定手段は、前記第１演出表示実行判定手段によって前記第１演出表示の実行が示された旨の判定がされたことを条件として、さらに、前記第１演出表示において仮停止させる仮停止表示結果を決定することを特徴とする、請求項１〜請求項５のいずれかに記載の遊技機。
【手続補正２】
【補正対象書類名】明細書
【補正対象項目名】０００１
【補正方法】変更
【補正の内容】
【０００１】
本発明は、パチンコ遊技機、コイン遊技機、または、スロットマシンなどで代表される遊技機に関する。詳しくは、各々が識別可能な複数種類の識別情報の変動表示を行なって表示結果を導出表示する変動表示部を備え、前記変動表示部で前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる有利な特別遊技状態に制御される遊技機に関する。
【手続補正３】
【補正対象書類名】明細書
【補正対象項目名】０００８
【補正方法】変更
【補正の内容】
【０００８】
（１）  各々が識別可能な複数種類の識別情報（飾り図柄）の変動表示を行なって表示結果を導出表示する変動表示部（変動表示装置９）を備え、前記変動表示部で前記識別情報の変動表示の表示結果が予め定められた特定表示結果（大当り図柄）となったときに、遊技者にとって有利な特定遊技状態（大当り遊技状態）に制御され、さらに、前記識別情報の変動表示の表示結果を前記特定表示結果のうちで予め定められた特別表示結果（確変大当り図柄）とする旨に決定されたときに、前記特定遊技状態が終了した後に該特定遊技状態とは異なる有利な特別遊技状態（確変状態、確変フラグをオン状態にセット、普通図柄時短状態，開成延長状態，普通図柄確率変動状態，および特別図柄時短状態のうちから選択的に組み合わせた状態やすべてを組合せた状態）に制御される遊技機（パチンコ遊技機１）であって、
遊技の進行を制御する遊技制御手段（遊技制御用マイクロコンピュータ５６０、図１７）と、
前記遊技機に設けられ、遊技（たとえば、大当り中であるか否か、変動中であるか否か等）に伴なって音を出力する音出力手段（スピーカ２７）、または前記遊技機に設けられ、遊技に伴なって光を発する発光手段（装飾ランプ２５、天枠ランプ２８ａ、左枠ランプ２８ｂ、右枠ランプ２８ｃ）の少なくとも一方を、（たとえば、変動表示装置９における表示演出）に応じて制御する第１演出制御手段（音・ランプ制御用マイクロコンピュータ７００、図２４）と、
前記変動表示部の表示制御を行なう第２演出制御手段（表示制御用マイクロコンピュータ８００、図３７）とを備え、
前記遊技制御手段は、
前記識別情報の変動表示の表示結果を前記特定表示結果とするか否か、および、前記特別遊技状態に制御するか否かを決定する事前決定手段（Ｓ３８６、Ｓ３９１）と、
前記事前決定手段によって表示結果を前記特定表示結果とする旨の決定がされたとき（Ｓ３８６でＹＥＳと判断され、Ｓ３９０でＹＥＳと判断されたとき）、前記特別表示結果以外の特定表示結果（変動中仮停止図柄）を仮停止させた後、前記特別表示結果および前記特別表示結果以外の特定表示結果のうちからいずれかの種類の特定表示結果（変動終了時停止図柄）を導出表示させる第１演出表示（１次再抽選表示）を実行するか否かを決定する第１演出表示実行決定手段（Ｓ３９４、Ｓ３９８、図９、図１０）と、
前記事前決定手段によって表示結果を前記特定表示結果とする旨の決定がされたとき（Ｓ３８６でＹＥＳと判断され、Ｓ３９０でＹＥＳと判断されたとき）、前記特定遊技状態が開始された後に、前記特別遊技状態に制御されるか否かを示す第２演出表示（２次再抽選表示）を実行するか否かを決定する第２演出表示実行決定手段（Ｓ３９４、Ｓ３９８、図９、図１０）と、
前記識別情報の変動表示を開始するときに、前記事前決定手段による決定結果に基づいた演出を実行するために用いる演出制御コマンド（変動パターンコマンド）を前記第１演出制御手段に送信する演出制御コマンド送信手段（Ｓ４１２、Ｓ４１４、Ｓ４２０、Ｓ２７）と、
前記識別情報の変動表示を開始するときに、前記事前決定手段による決定結果を特定するために用いる結果コマンド（図柄コマンド）を前記第１演出制御手段に送信する結果コマンド送信手段（Ｓ３９５、Ｓ３９９、Ｓ４１８、Ｓ４１９、Ｓ２７）と、
前記特定遊技状態を開始した後の所定の演出切替タイミング（エンディング開始タイミング）に、前記特定遊技状態が開始されてから実行される演出から他の種類の演出への切替えを示す切替コマンド（エンディング切替コマンド）を前記第１演出制御手段に送信する切替コマンド送信手段（Ｓ４３６、Ｓ２７）とを含み、
前記演出制御コマンド送信手段によって送信される前記演出制御コマンド、または前記結果コマンド送信手段によって送信される前記結果コマンドの少なくとも一方一方のコマンド（たとえば、図柄コマンド）は、当該コマンドに基づいて前記第１演出表示実行決定手段による決定結果および前記第２演出表示実行決定手段による決定結果が特定可能となるように構成されたマルチコマンド（８１０１ｈ〜８１０３ｈ、８１０５ｈ〜８１０７ｈ）であり、
前記第１演出制御手段は、
前記マルチコマンドに基づいて、前記第１演出表示の実行が示されたか否かを判定する第１演出表示実行判定手段（Ｓ５１４）と、
前記第１演出表示実行判定手段によって前記第１演出表示の実行が示された旨の判定がされたことを条件として、前記第１演出表示の演出態様（１次再抽選表示の種類、変動中仮停止図柄）を決定する第１演出表示態様決定手段（Ｓ５５２、図３０）と、
前記マルチコマンドに基づいて、前記第２演出表示の実行が示されたか否かを判定する第２演出表示実行判定手段（Ｓ５１４）と、
前記第２演出表示実行判定手段によって前記第２演出表示の実行が示された旨の判定がされたことを条件として、前記第２演出表示の演出態様（２次再抽選表示の種類）を決定する第２演出表示態様決定手段（Ｓ５３２）と、
前記結果コマンド送信手段によって送信された結果コマンドに基づいて特定される前記事前決定手段の決定結果と、前記第２演出表示実行判定手段の判定結果とに基づいて（Ｓ５４０、Ｓ５４１、Ｓ５４２、Ｓ５４３、Ｓ５４０ａ、Ｓ５４６の判断に基づいて）、変動表示の表示結果（変動終了時停止図柄）を決定する表示結果決定手段（図３０）と、
前記演出制御コマンド送信手段によって送信された演出制御コマンドに応じて識別情報の変動表示を開始させた後、当該変動表示ごとに設定される変動表示時間が経過したときに、変動表示の表示結果を導出表示させる変動パターン（飾り変動パターン）を特定する変動パターン特定手段（Ｓ５５２、Ｓ５５６）と、
前記切替コマンド送信手段によって送信された切替コマンドに応じて、演出を他の種類の演出に切替えるタイミングを特定する切替タイミング特定手段（Ｓ５１８ａ）と、
前記第１演出表示態様決定手段により決定された前記第１演出表示の演出態様と、前記第２演出表示態様決定手段により決定された前記第２演出表示の演出態様と、前記表示結果決定手段により決定された変動表示の表示結果と、前記変動パターン特定手段により特定された変動パターンと、前記切替タイミング特定手段により特定されたタイミングとを、前記第２演出制御手段において特定可能にするための情報（飾り変動パターンコマンド、エンディング切替コマンド）を送信する情報送信手段（Ｓ５２４、Ｓ５１８ｂ、Ｓ５０６）と、を含み、
前記第２演出制御手段は、
前記情報送信手段により送信された情報に基づき、前記第１演出表示態様決定手段により決定された演出態様で前記第１演出表示を実行する第１演出表示実行制御手段（Ｓ７０１、Ｓ７０２）と、
前記情報送信手段により送信された情報に基づき、前記切替タイミング特定手段により特定されたタイミングであるとき（Ｓ７２１においてＹＥＳと判断されたとき）に、前記第２演出表示態様決定手段により決定された演出態様で前記第２演出表示を実行する第２演出表示実行制御手段（Ｓ７０５、Ｓ７０６）と、
前記情報送信手段により送信された情報に基づき、前記変動パターン特定手段により特定された変動パターンに応じて識別情報の変動表示を開始させた後、前記表示結果決定手段により決定された変動表示の表示結果を導出表示させる変動表示制御手段（Ｓ６０５、Ｓ６０６）と、を含み、
前記表示結果決定手段は、前記第１演出表示実行判定手段によって前記第１演出表示の実行が示された旨の判定がされ、かつ、前記第２演出表示実行判定手段によって前記第２演出表示の実行が示された旨の判定がされたとき（Ｓ５４１およびＳ５４２においてＹＥＳと判断されたとき）に、前記結果コマンドが前記特別遊技状態に制御される旨を示しているとき（Ｓ５４６においてＹＥＳと判断されるとき）には、前記特別表示結果以外の特定表示結果のうちからいずれかの種類の特定表示結果を前記第１演出表示で導出表示される表示結果として決定するとともに（Ｓ５４４）、前記第２演出表示で前記特別遊技状態に制御される旨を表示させることを決定する（Ｓ５４７）。
【手続補正４】
【補正対象書類名】明細書
【補正対象項目名】００１１
【補正方法】変更
【補正の内容】
【００１１】
（２）  各々が識別可能な複数種類の識別情報（飾り図柄）の変動表示を行なって表示結果を導出表示する変動表示部（変動表示装置９）を備え、前記変動表示部で前記識別情報の変動表示の表示結果が予め定められた特定表示結果（大当り図柄）となったときに、遊技者にとって有利な特定遊技状態（大当り遊技状態）に制御され、さらに、前記識別情報の変動表示の表示結果を前記特定表示結果のうちで予め定められた特別表示結果（確変大当り図柄）とする旨に決定されたときに、前記特定遊技状態が終了した後に該特定遊技状態とは異なる有利な特別遊技状態（確変状態、確変フラグをオン状態にセット、普通図柄時短状態，開成延長状態，普通図柄確率変動状態，および特別図柄時短状態のうちから選択的に組み合わせた状態やすべてを組合せた状態）に制御される遊技機（パチンコ遊技機１）であって、
遊技の進行を制御する遊技制御手段（遊技制御用マイクロコンピュータ５６０、図１７）と、
前記遊技機に設けられ、遊技（たとえば、大当り中であるか否か、変動中であるか否か等）に伴なって音を出力する音出力手段（スピーカ２７）、または前記遊技機に設けられ、遊技に伴なって光を発する発光手段（装飾ランプ２５、天枠ランプ２８ａ、左枠ランプ２８ｂ、右枠ランプ２８ｃ）の少なくとも一方を、前記変動表示部の表示態様（たとえば、変動表示装置９における表示演出）に応じて制御する第１演出制御手段（音・ランプ制御用マイクロコンピュータ７００、図２４）と、
前記変動表示部の表示制御を行なう第２演出制御手段（表示制御用マイクロコンピュータ８００、図３７）とを備え、
前記遊技制御手段は、
前記識別情報の変動表示の表示結果を前記特定表示結果とするか否か、および、前記特別遊技状態に制御するか否かを決定する事前決定手段（Ｓ３８６、Ｓ３９１）と、
前記事前決定手段によって表示結果を前記特定表示結果とする旨の決定がされたとき（Ｓ３８６でＹＥＳと判断され、Ｓ３９０でＹＥＳと判断されたとき）、前記特別表示結果以外の特定表示結果（変動中仮停止図柄）を仮停止させた後、前記特別表示結果および
前記特別表示結果以外の特定表示結果のうちからいずれかの種類の特定表示結果（変動終了時停止図柄、最終停止図柄）を導出表示させる第１演出表示（１次再抽選表示）を実行するか否かを決定する第１演出表示実行決定手段（Ｓ３９４ａ、Ｓ３９８ａ、図４２、図４３）と、
前記事前決定手段によって表示結果を前記特定表示結果とする旨の決定がされたとき（Ｓ３８６でＹＥＳと判断され、Ｓ３９０でＹＥＳと判断されたとき）、前記特定遊技状態が開始された後に、前記特別遊技状態に制御されるか否かを示す第２演出表示（２次再抽選表示）を実行するか否かを決定する第２演出表示実行決定手段（Ｓ４１２ａ、図４４（ａ））と、
前記識別情報の変動表示を開始するときに、前記事前決定手段による決定結果に基づいた演出を実行するために用いる演出制御コマンド（変動パターンコマンド）を前記第１演出制御手段に送信する演出制御コマンド送信手段（Ｓ４１２ａ、Ｓ４１４、Ｓ４２０、Ｓ２７）と、
前記識別情報の変動表示を開始するときに、前記事前決定手段による決定結果を特定するために用いる結果コマンド（図柄コマンド）を前記第１演出制御手段に送信する結果コマンド送信手段（Ｓ３９５、Ｓ３９９、Ｓ４１８、Ｓ４１９、Ｓ２７）と、
前記特定遊技状態を開始した後の所定の演出切替タイミング（エンディング開始タイミング）に、前記特定遊技状態が開始されてから実行される演出から他の種類の演出への切替えを示す切替コマンド（エンディング切替コマンド）を前記第１演出制御手段に送信する切替コマンド送信手段（Ｓ４３６、Ｓ２７）とを含み、
前記演出制御コマンド送信手段によって送信される前記演出制御コマンド、または前記結果コマンド送信手段によって送信される前記結果コマンドの少なくとも一方のコマンド（たとえば、図柄コマンド、変動パターンコマンド）は、当該コマンドに基づいて前記第１演出表示実行決定手段による決定結果および前記第２演出表示実行決定手段による決定結果が特定可能となるように構成された第１マルチコマンド（８１０１ｈ、８１０５ｈ、８０１４ｈ〜８０１７ｈ）であり、
前記第１演出制御手段は、
前記第１マルチコマンドに基づいて、前記第１演出表示の実行が示されたか否かを判定する第１演出表示実行判定手段（Ｓ５１４）と、
前記第１演出表示実行判定手段によって前記第１演出表示の実行が示された旨の判定がされたことを条件として、前記第１演出表示の演出態様（１次再抽選表示の種類、変動中仮停止図柄）を決定する第１演出表示態様決定手段（Ｓ５５２、図４７）と、
前記第１マルチコマンドに基づいて、前記第２演出表示の実行が示されたか否かを判定する第２演出表示実行判定手段（変動パターンコマンドが２次再抽選表示が行なわれるコマンドであるときに２次再抽選表示を行なう旨を示す２次再抽選フラグをオン状態にセットする処理、Ｓ５１４参照）と、
前記第２演出表示実行判定手段によって前記第２演出表示の実行が示された旨の判定がされたことを条件として、前記第２演出表示の演出態様（２次再抽選表示の種類）を決定する第２演出表示態様決定手段（Ｓ５３２）と、
前記第１演出表示実行判定手段によって前記第１演出表示の実行が示された旨の判定がされ、かつ、前記第２演出表示実行判定手段によって前記第２演出表示の実行が示された旨の判定がされたとき（Ｓ５４１およびＳ５４２においてＹＥＳと判断されたとき）に、前記結果コマンドが前記特別遊技状態に制御される旨を示しているとき（Ｓ５４６においてＹＥＳと判断されるとき）には、前記特別表示結果以外の特定表示結果のうちからいずれかの種類の特定表示結果を前記第１演出表示で導出表示される表示結果として決定するとともに、前記第２演出表示で前記特別遊技状態に制御される旨を表示させることを決定する第２演出表示実行時表示結果決定手段（Ｓ５４４、Ｓ５４７）と、
前記結果コマンド送信手段によって送信された結果コマンド、および前記第２演出表示実行時表示結果決定手段によって決定された表示結果を特定する表示結果コマンド（飾り図柄コマンド）を前記第２演出制御手段に送信する表示結果コマンド送信手段（Ｓ５２２ａ、Ｓ５０６）と、
前記演出制御コマンド送信手段によって送信された演出制御コマンドを特定する変動演出制御コマンド（飾り変動パターンコマンド）を前記第２演出制御手段に送信する変動演出制御コマンド送信手段（Ｓ５２３ａ、Ｓ５０６）と、
前記切替コマンド送信手段によって送信された切替コマンドを特定する演出表示切替コマンド（エンディング開始コマンド）を送信する演出表示切替コマンド送信手段（Ｓ５１８ｂ、Ｓ５０６）とを含み、
前記表示結果コマンド送信手段によって送信される前記表示結果コマンド、または前記変動演出制御コマンド送信手段によって送信される前記変動演出制御コマンドの少なくとも一方のコマンドは、当該コマンドに基づいて前記第１演出表示態様決定手段により決定された前記第１演出表示の演出態様および前記第２演出表示態様決定手段により決定された前記第２演出表示の演出態様が特定可能となるように構成された第２マルチコマンド（図４９の飾り変動パターン決定用テーブルをルックアップして図４７のＳ５２３ａで設定される飾り変動パターンコマンドから１次再抽選表示の種類を特定可能、図４７のＳ５２２ａで設定される飾り図柄コマンドから２次再抽選表示の種類を特定可能）であり、
前記第２演出制御手段は、
前記第２マルチコマンドに基づいて、前記第１演出表示態様決定手段により決定された演出態様で前記第１演出表示を実行する第１演出表示実行制御手段（Ｓ７０１、Ｓ７０２）と、
前記第２マルチコマンドに基づいて、前記演出表示切替コマンド送信手段からの前記演出表示切替コマンドを受信したとき（Ｓ７２１においてＹＥＳと判断されたとき）に、前記第２演出表示態様決定手段により決定された演出態様で前記第２演出表示を実行する第２演出表示実行制御手段（Ｓ７０５、Ｓ７０６）と、
前記変動演出制御コマンド送信手段により送信された変動演出制御コマンドに基づいて、前記演出制御コマンド送信手段によって送信された演出制御コマンドに応じて識別情報の変動表示を開始させた後、前記表示結果コマンド送信手段によって送信される前記表示結果コマンドに応じた変動表示の表示結果を導出表示させる変動表示制御手段（Ｓ６０５、Ｓ６０６）と、を含む。
【手続補正５】
【補正対象書類名】明細書
【補正対象項目名】００１８
【補正方法】変更
【補正の内容】
【００１８】
（５）  前記第１演出制御手段は、
前記第２演出表示実行判定手段によって前記第２演出表示の実行が示された旨の判定がされていないときであって、前記切替コマンド送信手段によって送信された前記切替コマンドを受信したときに、演出を前記特定遊技状態が終了したことを報知する特定遊技状態終了演出（ノーマルエンディング表示）に切替えて、当該特定遊技状態終了演出を実行させる特定遊技状態終了演出実行制御手段（Ｓ５６０、Ｓ５１８ｂ、Ｓ５０７、Ｓ５０８）をさらに含み、
前記第２演出表示実行制御手段による前記第２演出表示の実行時間（演出タイマＴ１）は、前記特定遊技状態終了演出実行制御手段による前記特定遊技状態終了演出の実行時間（演出タイマＴ２）よりも長くなるように設定されている（図２３参照）。
【手続補正６】
【補正対象書類名】明細書
【補正対象項目名】００２０
【補正方法】変更
【補正の内容】
【００２０】
（６）  前記第１演出表示態様決定手段は、前記第１演出表示実行判定手段によって前記第１演出表示の実行が示された旨の判定がされたことを条件として、さらに、前記第１演出表示において仮停止させる仮停止表示結果（変動中仮停止図柄）を決定する（Ｓ５４４、Ｓ５４２ａ）。